(57)【要約】【課題】使用者の背部および頭部を安定させるとともに、椅子の後方から使用者の様子を把握することができる体位補助具を提供することを課題とする。【解決手段】椅子に着座した使用者の背部および頭部を支持するための体位補助具１であって、椅子の背板の前面または後面に重ねて配置される枠体１０，２０と、枠体１０，２０に取り付けられたカバー５０と、を備え、カバー５０の少なくとも上部には、後面側から前面側を透視可能な透視領域が設けられている。【選択図】図２
2014233409.tif 000002
【特許請求の範囲】
【請求項１】
椅子に着座した使用者の背部および頭部を支持するための体位補助具であって、
前記椅子の背板の前面または後面に重ねて配置される枠体と、
前記枠体に取り付けられたカバーと、を備え、
前記カバーの少なくとも上部には、後面側から前面側を透視可能な透視領域が設けられていることを特徴とする体位補助具。
【請求項２】
前記透視領域は、複数の開口部が形成された領域であることを特徴とする請求項１に記載の体位補助具。
【請求項３】
前記枠体は、
前記椅子の背板の前面または後面に重ねて配置される下部枠体と、
前記下部枠体に対して折り畳み自在に連結された上部枠体と、を備えており、
前記カバーは、
前記下部枠体に被せられる下部袋体と、
前記上部枠体に被せられる上部袋体と、を備え、
前記下部袋体および前記上部袋体の開口部は、前記カバーの後面側で上下に対向していることを特徴とする請求項１または請求項２に記載の体位補助具。
【請求項４】
前記枠体は、
左右一対の側部フレームと、
前記両側部フレームの下端部同士を連結する下端フレームと、を備え、
前記下端フレームは後方に突出するように湾曲した平板であることを特徴とする請求項１から請求項３のいずれか一項に記載の体位補助具。
【発明の詳細な説明】
【技術分野】
【０００１】
本発明は、椅子に着座した使用者の体位を安定させるための体位補助具に関する。
【背景技術】
【０００２】
車椅子に着座した患者の歯科治療を行うときには、車椅子の背板よりも上方に配置された患者の背部および頭部を安定させる必要がある。
車椅子に着座した患者の体位を安定させるための体位補助具としては、背板に取り付けられる枠体と、枠体に被せられたカバーと、を備えているものがある（例えば、特許文献１参照）。
【０００３】
前記した体位補助具を患者の背部と車椅子の背板との間に挿入することによって、患者の背部および頭部を支持することができる。
【先行技術文献】
【特許文献】
【０００４】
【特許文献１】特開２０１２−１５７３９０号公報
【発明の概要】
【発明が解決しようとする課題】
【０００５】
前記した従来の体位補助具を患者の背部と車椅子の背板との間に配置すると、カバーによって車椅子の後方から前方への視界が遮られるため、車椅子に着座した患者の様子を車椅子の後方から把握し難いという問題がある。
【０００６】
本発明は、前記した問題を解決し、使用者の背部および頭部を安定させるとともに、椅子の後方から使用者の様子を把握することができる体位補助具を提供することを課題とする。
【課題を解決するための手段】
【０００７】
前記課題を解決するため、本発明は、椅子に着座した使用者の背部および頭部を支持するための体位補助具であって、前記椅子の背板の前面または後面に重ねて配置される枠体と、前記枠体に取り付けられたカバーと、を備え、前記カバーの少なくとも上部には、後面側から前面側を透視可能な透視領域が設けられている。
【０００８】
この構成では、椅子に着座した使用者の体位を椅子の後方からカバーの透視領域を通じて見ることができる。例えば、椅子に着座した使用者を治療する場合には、使用者の様子を椅子の後方から把握することができるため、治療の安全性を高めることができる。
透視領域は、例えば、メッシュ状の領域、透明な領域または穴や溝が開口した領域によって形成することができる。なお、透視領域をカバー全体に設けてもよい。
【０００９】
前記した体位補助具において、前記透視領域が複数の開口部が形成された領域である場合には、透視領域が通気性を有するため、使用者の背部が蒸れるのを防ぐことができる。
【００１０】
前記した体位補助具において、前記枠体は、前記椅子の背板の前面または後面に重ねて配置される下部枠体と、前記下部枠体に対して折り畳み自在に連結された上部枠体と、を備えている場合には、前記カバーは、前記下部枠体に被せられる下部袋体と、前記上部枠体に被せられる上部袋体と、を備え、前記下部袋体および前記上部袋体の開口部を、前記カバーの後面側で上下に対向させることが望ましい。
【００１１】
この構成では、体位補助具を運搬する場合に、下部枠体および上部枠体を折り畳んで全体をコンパクトにすることができる。
また、カバーを下部枠体および上部枠体に被せる場合には、下部袋体の開口部と上部袋体の開口部との間を折り目として、カバーの前面が折り重なるようにカバーを折り畳む。さらに、下部枠体および上部枠体を折り畳み、下部枠体の先端部を下部袋体の開口部に挿入するとともに、上部枠体の先端部を上部袋体の開口部に挿入する。その後、下部枠体および上部枠体を開くことで、カバーを下部枠体および上部枠体に簡単に装着することができる。
また、下部枠体および上部枠体が開いた状態では、カバーを下部枠体および上部枠体から取り外すことができないため、体位補助具の使用時にカバーが下部枠体および上部枠体から外れるのを防ぐことができる。
【００１２】
前記した体位補助具において、前記枠体は、左右一対の側部フレームと、前記両側部フレームの下端部同士を連結する下端フレームと、を備え、前記下端フレームは後方に突出するように湾曲した平板であることが望ましい。
【００１３】
この構成では、下端フレームの前後方向の厚さが小さくなるとともに、下端フレームは使用者の背部に沿うように湾曲しているため、使用者の背部と椅子の背板との間に体位補助具を挿入するときに、下端フレームが使用者の背部に押し付けられる圧力を低減することができる。
【発明の効果】
【００１４】
本発明の体位補助具では、カバーに透視領域が設けられているため、椅子に着座した使用者の背部および頭部を安定させるとともに、椅子の後方から使用者の様子を把握することができる。
【図面の簡単な説明】
【００１５】
【図１】第一実施形態の体位補助具の使用状態を示した側面図である。
【図２】第一実施形態の体位補助具の斜視図である。
【図３】第一実施形態の体位補助具を示した図で、（ａ）は正面図、（ｂ）は下部枠体を下方から見た図である。
【図４】第一実施形態の体位補助具を示した側面図である。
【図５】第一実施形態のロック部材を示した図で、（ａ）はロック部材を上方から見た図、（ｂ）はロック部材の突起部が係合溝に係合する前の状態を前方から見た図、（ｃ）はロック部材の突起部を係合溝に係合させた状態を前方から見た図である。
【図６】第一実施形態の体位補助具において、下部枠体および上部枠体にカバーを被せる態様を示した説明図である。
【図７】第一実施形態の体位補助具において、下部枠体および上部枠体を閉じた状態を示した側面図である。
【図８】第一実施形態の体位補助具において、カバーの間に枕が収容された状態を示した側断面図である。
【図９】第二実施形態の体位補助具を示した斜視図である。
【発明を実施するための形態】
【００１６】
本発明の実施形態について、適宜図面を参照しながら詳細に説明する。
なお、各実施形態の説明において、同一の構成要素に関しては同一の符号を付し、重複した説明は省略するものとする。
【００１７】
［第一実施形態］
第一実施形態では、図１に示すように、車椅子２に着座した患者Ｍの歯科治療を行うときに、患者Ｍの体位を安定させるための体位補助具１について説明する。
【００１８】
体位補助具１は、車椅子２の背板３に取り付けられる下部枠体１０と、下部枠体１０に対して折り畳み自在に連結された上部枠体２０と、上部枠体２０に設けられた二つのロック部材３０，３０（図２参照）と、下部枠体１０に設けられた二つのベルト４０，４０と、下部枠体１０および上部枠体２０に取り付けられたカバー５０と、カバー５０に取り付けられた枕６０と、を備えている。
【００１９】
体位補助具１は、下部枠体１０および上部枠体２０を開いた状態で、患者Ｍの背部Ｍｂと車椅子２の背板３との間に挿入し、二つのベルト４０，４０によって下部枠体１０を背板３に取り付ける。これにより、患者Ｍの背部Ｍｂおよび頭部Ｍａをカバー５０の上部および枕６０によって支持することができる。
【００２０】
下部枠体１０は、図３（ａ）に示すように、左右一対の側部フレーム１１，１１と、左右の側部フレーム１１，１１の下端部同士を連結する下端フレーム１２と、を備えている。左右の側部フレーム１１，１１は下端フレーム１２に対して垂直に配置されている。
側部フレーム１１は金属製のパイプである。左右の側部フレーム１１，１１の幅は車椅子２の背板３（図１参照）の幅よりも僅かに小さくなっている。
【００２１】
下端フレーム１２は、図３（ｂ）に示すように、前後方向の厚さが側部フレーム１１よりも小さい平板である。下端フレーム１２の両端部は、左右の側部フレーム１１，１１の下端部の前面にリベットやボルト等の固定手段によって固定されている（図３（ａ）参照）。
【００２２】
下端フレーム１２は、左右方向の中間部が後方に突出するように全体が円弧状に湾曲している。すなわち、下端フレーム１２は、患者Ｍの背部Ｍｂ（図１参照）に沿うように湾曲している。なお、下端フレーム１２は、左右の側部フレーム１１，１１よりも後方に突出しないように湾曲している。また、下端フレーム１２にはウレタン製の筒状の保護パット１２ａが外嵌されている。
【００２３】
上部枠体２０は、図３（ａ）に示すように、金属製のパイプを曲げ加工したものであり、左右一対の側部フレーム２１，２１と、左右の側部フレーム２１，２１の上端部同士を連結する上端フレーム２２と、が形成されている。左右の側部フレーム２１，２１は上端フレーム２２に対して垂直に配置されている。また、上端フレーム２２にはウレタン製の筒状の保護パット２２ａが外嵌されている。
なお、本実施形態では、パイプを曲げ加工して上部枠体２０が形成されているが、上端フレーム２２の両端部を、左右の側部フレーム２１，２１の上端部にリベットやボルト等の固定手段によって固定してもよい。
【００２４】
上部枠体２０の左右の側部フレーム２１，２１の幅は、下部枠体１０の左右の側部フレーム１１，１１の幅と同じである。
上部枠体２０の左右の側部フレーム２１，２１の下端部は、図２に示すように、下部枠体１０の左右の側部フレーム１１，１１の上端部の前方に配置されている（図４参照）。
【００２５】
下部枠体１０の左右の側部フレーム１１，１１の上端部には、板状の連結部材７０がリベットやボルト等の固定手段によって固定されている。連結部材７０には上部枠体２０の左右の側部フレーム２１，２１の下端部が回動自在に軸支されている。これにより、上部枠体２０は下部枠体１０に対して前後方向に傾動自在となっている（図７参照）。
【００２６】
上部枠体２０を下部枠体１０に対して傾動させることで、図７に示すように、下部枠体１０および上部枠体２０を開閉させることができる。下部枠体１０および上部枠体２０を二つ折りに折り畳んだときには、下部枠体１０および上部枠体２０が前面側で折り重なる。
また、下部枠体１０および上部枠体２０を開いた状態では、図３（ａ）に示すように、下部枠体１０および上部枠体２０によって長方形の枠体が形成される。
【００２７】
なお、下部枠体１０および上部枠体２０を開いたときには、上部枠体２０の左右の側部フレーム２１，２１の下部が、下部枠体１０の左右の側部フレーム１１，１１の上端部に前方から当接することで、上部枠体２０が下部枠体１０よりも後方に傾斜するのを防ぐことができる（図４参照）。
【００２８】
ロック部材３０は、図２に示すように、下部枠体１０および上部枠体２０が閉じるのを防ぐための部材である。ロック部材３０，３０は、上部枠体２０の左右の側部フレーム２１，２１の下部に取り付けられている。
【００２９】
ロック部材３０は、図５（ａ）に示すように、上部枠体２０の側部フレーム２１に嵌合される回動部３１と、下部枠体１０の側部フレーム１１に嵌合される嵌合部３２と、嵌合部３２の外面に設けられた突出片３３と、を備えている。さらに、ロック部材３０は、図５（ｂ）に示すように、回動部３１に形成された位置決め溝３４と、上部枠体２０の突起部２１ａに係合される係合溝３５と、を備えている。
【００３０】
回動部３１は、図５（ａ）に示すように、上部枠体２０の側部フレーム２１の外周面に嵌合される略半円形状の部位である。回動部３１は、上部枠体２０の側部フレーム２１に嵌合された状態で、側部フレーム２１の軸回り（上下方向の軸回り）に回動自在であるとともに、側部フレーム２１に対して上下方向に移動自在となっている。
【００３１】
嵌合部３２は、回動部３１の側部に連続して形成されており、下部枠体１０の側部フレーム１１の外周面に嵌合される略半円状の部位である。
回動部３１を上部枠体２０の側部フレーム２１の軸回りに回動させることで、嵌合部３２を側部フレーム１１に対して着脱させることができる。
【００３２】
図２に示すように、下部枠体１０および上部枠体２０を開いた状態で、二つのロック部材３０，３０の嵌合部３２，３２（図５（ａ）参照）を下部枠体１０の左右の側部フレーム１１，１１に嵌合させることで、下部枠体１０および上部枠体２０に対して両ロック部材３０，３０を固定することができる。これにより、下部枠体１０および上部枠体２０が固定されるため、下部枠体１０および上部枠体２０を開いた状態に保つことができる。
【００３３】
突出片３３は、図５（ａ）に示すように、嵌合部３２の外周面に突設された板状の部位である。ロック部材３０を回動および上下方向に移動させるときに、操作する人の指を突出片３３に押し当てることで、ロック部材３０を操作し易くなっている。
【００３４】
図５（ｂ）に示すように、回動部３１の上下方向の中間部には位置決め溝３４が開口している。回動部３１を上部枠体２０の側部フレーム２１に嵌合させるときに、側部フレーム２１の外周面に設けられた突起部２１ａを位置決め溝３４内に配置することで、ロック部材３０を側部フレーム２１の下端部に位置決めすることができる。
なお、突起部２１ａは、上部枠体２０の側部フレーム２１の外周面に取り付けられたボルトの頭部であるが、突起部２１ａの構成は限定されるものではない。
【００３５】
また、位置決め溝３４の上縁部には、突起部２１ａに係合される凹状の係合溝３５が形成されている。図５（ｃ）に示すように、ロック部材３０を側部フレーム１１に対して押し下げることで、係合溝３５が突起部２１ａに係合するように構成されている。係合溝３５に突起部２１ａが係合した状態では、回動部３１は側部フレーム１１に対して回動することができなくなり、ロック部材３０が側部フレーム２１に固定される。
【００３６】
二つのベルト４０，４０は、図１に示すように、下部枠体１０を車椅子２の背板３に取り付けるための帯状の部材である。ベルト４０は、図３（ａ）に示すように、両端部が下部枠体１０の左右の側部フレーム１１，１１の上部に取り付けられている。なお、ベルト４０は、スナップボタンを用いて側部フレーム１１に着脱自在に取り付けられているが、取付方法は限定されるものではない。
【００３７】
二つのベルト４０，４０は、上下方向に間隔を空けて配置されている。上下のベルト４０，４０は、図１に示すように、下部枠体１０を車椅子２の背板３の前面に重ねたときに、肘掛部４よりも上方に配置される。
【００３８】
ベルト４０は、図３（ａ）に示すように、左右方向の中間部で分割されており、差込式のバックル４１によって連結されている。
図１に示すように、体位補助具１を車椅子２の背板３に取り付ける場合には、下部枠体１０を背板３の前面に重ね合わせ、上下のベルト４０，４０のバックル４１，４１を背板３の後面側でそれぞれ連結する。このようにして、上下のベルト４０，４０を背板３に縛り付けることで、下部枠体１０を背板３の前面に取り付けることができる。
【００３９】
カバー５０は、図３（ａ）に示すように、下部枠体１０に被せられる下部袋体５１と、上部枠体２０に被せられる上部袋体５２と、を備えている。下部袋体５１および上部袋体５２は、図４に示すように、前面側で連続して形成されている。下部袋体５１および上部袋体５２の開口部５１ａ，５２ａは、カバー５０の後面側で上下に対向している。
【００４０】
カバー５０は、図３（ａ）に示すように、伸縮性を有するメッシュ状のシートによって袋状に形成されている。カバー５０は前後方向に透視可能な透視性を有している。すなわち、カバー５０全体に透視領域が形成されている。
【００４１】
下部袋体５１と上部袋体５２との間には、ベルト位置決め部５３が形成されている。ベルト位置決め部５３は、カバー５０の左右側縁部に亘って形成された帯状の部位である。ベルト位置決め部５３が上下二つのベルト４０，４０の間に配置されることで、上下のベルト４０，４０が位置決めされる。
【００４２】
カバー５０を下部枠体１０および上部枠体２０に被せる場合には、図６に示すように、下部袋体５１の開口部５１ａと上部袋体５２の開口部５２ａとの間を折り目として、カバー５０の前面側が折り重なるように、カバー５０を二つ折りに折り畳む。
さらに、下部枠体１０および上部枠体２０を折り畳み、下部枠体１０の下端部を下部袋体５１の開口部５１ａに挿入するとともに、上部枠体２０の上端部を上部袋体５２の開口部５２ａに挿入する。
その後、図２に示すように、下部枠体１０および上部枠体２０を開くことで、カバー５０を下部枠体１０および上部枠体２０に装着することができる。
【００４３】
なお、下部枠体１０および上部枠体２０を開いた状態では、カバー５０を下部枠体１０および上部枠体２０から取り外すことができない。したがって、体位補助具１の使用時にカバー５０が下部枠体１０および上部枠体２０から外れるのを防ぐことができる。
【００４４】
枕６０は、ウレタン製の本体部６１と、本体部６１に取り付けられた枕用ベルト６２と、を備えている。
本体部６１は、内部のウレタン材に対して表層のウレタン材が低反発で軟らかくなっている。このように、本体部６１を固さが異なるウレタン材によって二重構造にすることで、図１に示すように、本体部６１は患者Ｍの頭部Ｍａおよび頚椎Ｍｃを支持するのに適した硬さとなっている。
【００４５】
また、本体部６１は、上部から下部に向かうに従って前方に突出しており、略台形状の側断面となっている。また、本体部６１の前面は中央部が窪むように湾曲している。このような形状の本体部６１では、患者Ｍの頭部Ｍａおよび頚椎Ｍｃを安定して支持することができる。
【００４６】
枕用ベルト６２は、図２に示すように、本体部６１の後面に取り付けられている。枕用ベルト６２をカバー５０の外側から上部枠体２０に外嵌させることで、カバー５０の前面に本体部６１を取り付けることができる。
また、枕用ベルト６２を上部枠体２０に対して上下方向に移動させることで、本体部６１の取付高さを簡単に調整することができる。
なお、本体部６１を枕用ベルト６２によってカバー５０に取り付けているが、面ファスナーを用いて本体部６１をカバー５０に取り付けてもよい。
【００４７】
体位補助具１を運搬する場合には、カバー５０に枕６０を取り付けた状態で、下部枠体１０および上部枠体２０を折り畳む（図７参照）。これにより、図８に示すように、下部枠体１０および上部枠体２０とともに、カバー５０も折り畳まれ、カバー５０の間に本体部６１が挟み込まれる。このとき、カバー５０は本体部６１に押されて伸びるため、カバー５０の間に枕６０の本体部６１を収容することができる。
【００４８】
次に、図７に示すように、下側のベルト４０を上部枠体２０の後面側に掛け渡し、バックル４１を連結する。このようにして、下部枠体１０および上部枠体２０を下側のベルト４０で縛ることによって、下部枠体１０および上部枠体２０を閉じた状態に保つことができる。これにより、カバー５０の間から枕６０の本体部６１が落下するのを防ぐことができる。
そして、上側のベルト４０を肩掛け用や手提げ用のストラップとして利用して、体位補助具１を持ち運ぶことができる。
【００４９】
体位補助具１を車椅子２の背板３（図１参照）に取り付ける場合には、図２に示すように、下部枠体１０および上部枠体２０を開いた状態にする。この状態で、左右のロック部材３０，３０を下部枠体１０の左右の側部フレーム１１に嵌合させる。これにより、下部枠体１０および上部枠体２０を開いた状態に保つことができる。
【００５０】
続いて、図１に示すように、患者Ｍの背部Ｍｂと車椅子２の背板３との間に体位補助具１を挿入する。このとき、下部枠体１０の下端フレーム１２（図２参照）から背部Ｍｂと背板３との間に挿入することになる。
下端フレーム１２は、図３（ｂ）に示すように、前後方向の厚さが小さくなるとともに、患者Ｍの背部Ｍｂ（図１参照）に沿うように湾曲している。したがって、図１に示すように、患者Ｍの背部Ｍｂと背板３との間に体位補助具１を挿入するときに、下端フレーム１２（図２参照）が患者Ｍの背部Ｍｂに押し付けられる圧力を低減することができる。
【００５１】
下部枠体１０を背板３の前面に重ね合わせた後に、上下のベルト４０，４０のバックル４１，４１を背板３の後面側でそれぞれ連結する。このようにして、上下のベルト４０，４０を背板３に縛り付けることで、下部枠体１０を背板３の前面に取り付ける。これにより、体位補助具１が背板３に固定される。
さらに、枕６０の本体部６１の取付高さを患者Ｍの頭部Ｍａおよび頚椎Ｍｃに対応させて調整する。
【００５２】
以上のような体位補助具１は、図１に示すように、上下二つのベルト４０，４０によって車椅子２の背板３に対して安定させることができる。
また、体位補助具１を運搬するときに、下側のベルト４０によって下部枠体１０および上部枠体２０が開くのを防ぐとともに、上側のベルト４０を肩掛け用や手提げ用のストラップとして利用することができるため、下部枠体１０および上部枠体２０を折り畳んだ状態で運搬し易くなっている。
【００５３】
また、車椅子２に着座した患者Ｍの体位を車椅子２の後方からカバー５０を通じて見ることができるため、治療時に患者Ｍの様子を車椅子２の後方から把握することができ、治療の安全性を高めることができる。
また、カバー５０が通気性を有するメッシュ状のシートによって形成されているため、患者Ｍの背部Ｍｂが蒸れるのを防ぐことができる。
【００５４】
以上、本発明の第一実施形態について説明したが、本発明は前記第一実施形態に限定されることなく、その趣旨を逸脱しない範囲で適宜に変更が可能である。
例えば、第一実施形態では、図１に示すように、カバー５０全体に透視領域が設けられているが、患者Ｍの頭部Ｍａを車椅子２の後方から見るために、少なくともカバー５０の上部に透視領域が設けられていればよい。
【００５５】
第一実施形態のカバー５０では、メッシュ状のシートによって透視領域が形成されているが、その構成は限定されるものではない。
例えば、透視領域はポリ塩化ビニル製の透明なシートによって形成してもよい。また、透視領域は複数の穴や溝が開口したシートによって形成してもよい。さらに、透視領域は複数の帯状のシートや複数の紐を並設または格子状に配置することで形成してもよい。
【００５６】
また、第一実施形態では、車椅子２の背板３の前面に下部枠体１０が重ねられているが、背板３の後面に下部枠体１０を重ねて固定してもよい。
【００５７】
また、第一実施形態では、下部枠体１０に上下二つのベルト４０，４０が設けられているが、二つ以上のベルト４０を設けてもよい。また、複数のベルト４０を上部枠体２０に設けてもよく、下部枠体１０および上部枠体２０の両方に設けてもよい。
【００５８】
また、第一実施形態では、図３（ａ）に示すように、二つのロック部材３０が上部枠体２０に設けられているが、ロック部材３０の形状および数は限定されるものではない。さらに、ロック部材３０を下部枠体１０に設けてもよい。
【００５９】
また、第一実施形態のカバー５０は、下部袋体５１および上部袋体５２が形成されているが、カバー５０を一つの袋体によって構成し、カバー５０の外周縁部にファスナーを設けることで、カバー５０の外周縁部に開口部を設けてもよい。
【００６０】
また、本実施形態では、下部枠体１０および上部枠体２０が金属材料によって形成されているが、強度を十分に確保することができるのであれば、下部枠体１０および上部枠体２０の全体または一部にカーボン等の樹脂材料を用いてもよい。
【００６１】
［第二実施形態］
第二実施形態の体位補助具１Ａは、図９に示すように、第一実施形態の体位補助具１（図３（ａ）参照）と略同様の構成であり、枠体８０の構成が異なっている。
【００６２】
第二実施形態の体位補助具１Ａは、車椅子の背板に取り付けられる枠体８０と、枠体８０に設けられた二つのベルト４０，４０と、枠体８０に取り付けられたカバー９０と、カバー９０に取り付けられた枕６０と、を備えている。
【００６３】
枠体８０は、左右一対の側部フレーム８１，８１と、左右の側部フレーム８１，８１の下端部同士を連結する下端フレーム８２と、左右の側部フレーム８１，８１の上端部同士を連結する上端フレーム８３と、を備えている。
【００６４】
左右の側部フレーム８１，８１および上端フレーム８３は金属製のパイプを折り曲げることで形成されている。
下端フレーム８２は、前後方向の厚さが側部フレーム８１よりも小さい平板であり、左右方向の中間部が後方に突出するように全体が円弧状に湾曲している。すなわち、下端フレーム８２は、患者の背部に沿うように湾曲している。
【００６５】
また、第二実施形態のカバー９０は一つの袋体であり、カバー９０の外周縁部に開口部が設けられている。
【００６６】
以上のような体位補助具１Ａでは、車椅子に着座した患者の体位を車椅子の後方からカバー９０を通じて見ることができるため、治療時に患者の様子を車椅子の後方から把握することができ、治療の安全性を高めることができる。
また、カバー９０が通気性を有するメッシュ状のシートによって形成されているため、患者の背部が蒸れるのを防ぐことができる。
【００６７】
以上、本発明の第二実施形態について説明したが、本発明は前記第二実施形態に限定されることなく、前記第一実施形態と同様に、その趣旨を逸脱しない範囲で適宜に変更が可能である。
【符号の説明】
【００６８】
１      体位補助具（第一実施形態）
１Ａ    体位補助具（第二実施形態）
２      車椅子
３      背板
４      肘掛部
１０    下部枠体
１１    側部フレーム
１２    下端フレーム
２０    上部枠体
２１    側部フレーム
２１ａ  突起部
２２    上端フレーム
３０    ロック部材
３１    回動部
３２    嵌合部
３３    突出片
３４    位置決め溝
３５    係合溝
４０    ベルト
４１    バックル
５０    カバー（第一実施形態）
５１    下部袋体
５１ａ  開口部
５２    上部袋体
５２ａ  開口部
６０    枕
６１    本体部
６２    枕用ベルト
７０    連結部材
８０    枠体
９０    カバー（第二実施形態）
Ｍ      患者（使用者）
Ｍａ    頭部
Ｍｂ    背部
Ｍｃ    頚椎
【図１】
2014233409.tif 000003
【図２】
2014233409.tif 000004
【図３】
2014233409.tif 000005
【図４】
2014233409.tif 000006
【図５】
2014233409.tif 000007
【図６】
2014233409.tif 000008
【図７】
2014233409.tif 000009
【図８】
2014233409.tif 000010
【図９】
2014233409.tif 000011